(57)【要約】【課題】同一グラフィック画面上の複数のシンボルをまとめて選択できるようにした監視制御装置を得る。【解決手段】いろいろなシンボルが表示されている画面１ａで、シンボル選択５をオペレータがマウス１２により、クリックすることにより、シンボル選択モードになり、次にオペレータが、選択したい複数のシンボル６ａ、６ｂを含む矩形範囲１１を、マウス１２をドラッグして設定すると、表示制御部は、矩形範囲１１の座標を取得し、これに基づき、矩形範囲１１内の複数のシンボル６ａ、６ｂを特定し、特定されたシンボルの外枠を太線にして、画面１ａに表示する。【選択図】図３
2012099063.tif 000002
【特許請求の範囲】
【請求項１】
プラントの運転状態を監視及び制御する監視制御装置であって、
上記プラントの状態を機器のシンボルの組み合わせで表したグラフィック画面上で、複数のシンボルをまとめて選択するモードであるシンボル選択モードを設定する手段、
上記シンボル選択モードで行われる上記複数のシンボルの選択方法として、予め決められた複数の選択方法の内のいずれかの選択方法を選択する手段、
及び上記シンボル選択モードのとき、上記選択された選択方法により、上記グラフィック画面上で上記複数シンボルをまとめて選択する手段を備えたことを特徴とする監視制御装置。
【請求項２】
上記選択された選択方法は、上記グラフィック画面上で、マウスのドラッグ操作により上記複数のシンボルを囲むように所定範囲を設定することにより上記複数のシンボルを選択するものであることを特徴とする請求項１記載の監視制御装置。
【請求項３】
上記選択された選択方法は、上記グラフィック画面上で、マウスのドラッグ操作により上記複数のシンボルを囲むように矩形範囲を設定することにより上記複数のシンボルを選択するものであることを特徴とする請求項１記載の監視制御装置。
【請求項４】
上記選択された選択方法は、上記グラフィック画面上で、上記複数のシンボルを囲む矩形範囲の対角位置の２点をマウスのクリックにより上記矩形範囲を設定することにより、上記複数のシンボルを選択するものであることを特徴とする請求項1記載の監視制御装置。
【請求項５】
上記選択された選択方法は、上記グラフィック画面上で、マウスのドラッグ操作により上記複数のシンボルを囲むように閉曲線を描くことにより上記複数のシンボルを選択するものであることを特徴とする請求項1記載の監視制御装置。
【請求項６】
上記選択された選択方法は、上記グラフィック画面上で、複数のシンボルを順次マウスでクリックすることにより上記複数のシンボルを選択するものであることを特徴とする請求項１記載の監視制御装置。
【請求項７】
上記グラフィック画面上で選択された複数のシンボルに割り付けられている信号の状態をサマリウィンドウに一覧表示する手段を備えたことを特徴とする請求項１〜請求項６にいずれかに記載の監視制御装置。
【請求項８】
上記グラフィック画面上で選択された複数のシンボルに割り付けられている信号のトレンドデータをトレンドウィンドウに表示する手段を備えたことを特徴とする請求項１〜請求項７のいずれかに記載の監視制御装置。
【請求項９】
上記グラフィック画面上で選択された複数のシンボルに割り付けられている信号に関連する帳票を帳票表示ウィンドウに表示する手段を備えたことを特徴とする請求項１〜請求項８のいずれかに記載の監視制御装置。
【請求項１０】
上記グラフィック画面上で選択された複数のシンボルに割り付けられている制御信号を一括出力するための一括制御ウィンドウを表示する手段を備え、
上記一括制御ウィンドウの操作により、上記複数のシンボルに対応する複数の機器を一括制御することを特徴とする請求項１〜請求項９のいずれかに記載の監視制御装置。
【請求項１１】
上記グラフィック画面上で選択された複数のシンボルに割り付けられている制御信号を一括出力するための一括制御ウィンドウを表示するとともに、上記一括制御ウィンドウに設けられたチェックボックスにより、どの機器を制御対象にするかの選択を行う手段を備えたことを特徴とする請求項１〜請求項９のいずれかに記載の監視制御装置。監視制御装置。
【請求項１２】
上記グラフィック画面上で選択された複数のシンボルに割り付けられている設定値信号を、上記複数のシンボルに対応する複数の機器に一括出力する手段を備えたことを特徴とする請求項１〜請求項９のいずれかに記載の監視制御装置。
【請求項１３】
上記一括制御ウィンドウには、コメント入力欄が設けられており、上記コメント入力欄へコメントを入力することにより、上記複数のシンボルに対応する複数の機器に対するコメントを一括設定する手段を備えたことを特徴とする請求項１０または請求項１１記載の監視制御装置。
【請求項１４】
上記グラフィック画面上で選択された複数のシンボルに割り付けられているアラーム信号をリスト表示し、上記リスト上のアラーム信号ごとに、アラーム発生時に遷移するリンク先の画面を設定する手段を備えたことを特徴とする請求項１〜請求項１３のいずれかに記載の監視制御装置。
【発明の詳細な説明】
【技術分野】
【０００１】
この発明は、プラントの設備運転状態を監視及び制御するプラント監視システムにおける、プラントの状態を機器のシンボルの組み合わせで表すグラフィック画面を表示する監視制御装置に関するものである。
【背景技術】
【０００２】
従来のプラント監視システムにおける監視装置では、プラントの状態を機器のシンボルの組み合わせで表したグラフィック画面上のシンボルに割り付けられている信号のサマリ、トレンド表示機能、帳票表示機能等において、複数シンボルの信号をまとめて表示する場合、シンボルごとに表示操作を繰り返すか、もしくは、予めグループとして登録しておく必要があった。（例えば特許文献１参照）
【先行技術文献】
【特許文献】
【０００３】
【特許文献１】特開２００９−１９３１９５号公報（第４〜６頁、図１）
【発明の概要】
【発明が解決しようとする課題】
【０００４】
現在、水処理プラントでは、監視制御の広域化が進んでおり、プラント監視システムによって制御する機器の数が多くなる傾向がある。しかし、従来のプラント監視装置では、以上のように構成されているため、複数のシンボルを対象とした操作を行うためには、シンボル毎に表示操作を繰り返すか、もしくは、予め登録しておいたグループとして表示しなければならない。
このため、オペレータの操作が煩雑になるという問題点があった。
【０００５】
この発明は、上記のような課題を解決するためになされたものであり、同一グラフィック画面上の複数のシンボルをまとめて選択できるようにした監視制御装置を得ることを目的にしている。
【課題を解決するための手段】
【０００６】
この発明に係わる監視制御装置においては、プラントの運転状態を監視及び制御する監視制御装置であって、プラントの状態を機器のシンボルの組み合わせで表したグラフィック画面上で、複数のシンボルをまとめて選択するモードであるシンボル選択モードを設定する手段、シンボル選択モードで行われる複数のシンボルの選択方法として、予め決められた複数の選択方法の内のいずれかの選択方法を選択する手段、及びシンボル選択モードのとき、選択された選択方法により、グラフィック画面上で複数シンボルをまとめて選択する手段を備えたものである。
【発明の効果】
【０００７】
この発明は、以上説明したように、プラントの運転状態を監視及び制御する監視制御装置であって、プラントの状態を機器のシンボルの組み合わせで表したグラフィック画面上で、複数のシンボルをまとめて選択するモードであるシンボル選択モードを設定する手段、シンボル選択モードで行われる複数のシンボルの選択方法として、予め決められた複数の選択方法の内のいずれかの選択方法を選択する手段、及びシンボル選択モードのとき、選択された選択方法により、グラフィック画面上で複数シンボルをまとめて選択する手段を備えたので、同一グラフィック画面上の複数のシンボルを簡単にまとめて選択することができる。
【図面の簡単な説明】
【０００８】
【図１】この発明の実施の形態１によるプラント監視システムのハードウェアシステムを示す構成図である。
【図２】この発明の実施の形態１による監視制御装置とプラント情報処理装置を示す構成図である。
【図３】この発明の実施の形態１による監視制御装置のグラフィック画面におけるマウスドラッグ操作によるシンボル矩形範囲選択を示す図である。
【図４】この発明の実施の形態１による監視制御装置におけるグラフィック画面のシンボル選択後を示す図である。
【図５】この発明の実施の形態１による監視制御装置のドラッグ操作によるシンボルの矩形範囲選択処理を示すフローチャートである。
【図６】この発明の実施の形態２による監視制御装置のグラフィック画面におけるシンボル選択方法の選択を示す図である。
【図７】この発明の実施の形態２による監視制御装置のグラフィック画面における２点クリック操作によるシンボル矩形範囲選択を示す図である。
【図８】この発明の実施の形態２による監視制御装置の２点クリック操作によるシンボルの矩形範囲選択処理を示すフローチャートである。
【図９】この発明の実施の形態３による監視制御装置のグラフィック画面におけるシンボル選択方法の選択を示す図である。
【図１０】この発明の実施の形態３による監視制御装置のグラフィック画面における閉曲線によるシンボル選択を示す画面である。
【図１１】この発明の実施の形態３による監視制御装置のドラッグ操作によるシンボルの閉曲線範囲選択処理を示すフローチャートである。
【図１２】この発明の実施の形態４による監視制御装置のグラフィック画面におけるシンボル選択方法の選択を示す図である。
【図１３】この発明の実施の形態４による監視制御装置のグラフィック画面におけるシンボルクリック操作によるシンボル選択を示す図である。
【図１４】この発明の実施の形態４による監視制御装置のシンボルクリック操作によるシンボル選択処理を示すフローチャートである。
【図１５】この発明の実施の形態５による監視制御装置のグラフィック画面における選択した複数シンボルのサマリ表示方法を示す図である。
【図１６】この発明の実施の形態５による監視制御装置のグラフィック画面における選択した複数シンボルのサマリ表示を示す図である。
【図１７】この発明の実施の形態５による監視制御装置のサマリの表示処理を示すフローチャートである。
【図１８】この発明の実施の形態６による監視制御装置のグラフィック画面における選択した複数シンボルのトレンド表示方法を示す図である。
【図１９】この発明の実施の形態６による監視制御装置のグラフィック画面における選択した複数シンボルのトレンド表示を示す図である。
【図２０】この発明の実施の形態６による監視制御装置のトレンドウィンドウの表示処理を示すフローチャートである。
【図２１】この発明の実施の形態７による監視制御装置のグラフィック画面における選択した複数シンボルの帳票表示方法を示す図である。
【図２２】この発明の実施の形態７による監視制御装置のグラフィック画面における表示する帳票の選択ウィンドウを示す図である。
【図２３】この発明の実施の形態７による監視制御装置のグラフィック画面における帳票表示ウィンドウを示す図である。
【図２４】この発明の実施の形態７による監視制御装置の帳票表示ウィンドウの表示処理を示すフローチャートである。
【図２５】この発明の実施の形態８による監視制御装置のグラフィック画面における選択した複数機器の制御方法を示す図である。
【図２６】この発明の実施の形態８による監視制御装置のグラフィック画面における一括操作ウィンドウを示す図である。
【図２７】この発明の実施の形態８による監視制御装置の一括操作処理を示すフローチャートである。
【図２８】この発明の実施の形態９による監視制御装置のグラフィック画面における機器選択付き一括制御ウィンドウを示す図である。
【図２９】この発明の実施の形態９による監視制御装置の一括操作処理を示すフローチャートである。
【図３０】この発明の実施の形態１０による監視制御装置のグラフィック画面における設定値出力一括設定を示す図である。
【図３１】この発明の実施の形態１０による監視制御装置のグラフィック画面における設定値一括操作ウィンドウを示す図である。
【図３２】この発明の実施の形態１０による監視制御装置の一括設定操作処理を示すフローチャートである。
【図３３】この発明の実施の形態１１による監視制御装置のグラフィック画面におけるコメント欄付き一括制御ウィンドウを示す図である。
【図３４】この発明の実施の形態１１による監視制御装置の一括コメント入力処理を示すフローチャートである。
【図３５】この発明の実施の形態１２による監視制御装置のグラフィック画面におけるリンク画面割付操作を示す図である。
【図３６】この発明の実施の形態１２による監視制御装置のグラフィック画面におけるリンク画面設定ウィンドウを示す図である。
【図３７】この発明の実施の形態１２による監視制御装置の一括リンク画面設定処理を示すフローチャートである。
【発明を実施するための形態】
【０００９】
実施の形態１．
以下、この発明の実施の形態１を図に基づいて説明する。
図１は、この発明の実施の形態１によるプラント監視システムのハードウェアシステムを示す構成図である。
図１において、プラント監視システムは、モーターや弁等の機械や計測機器であるプラント機器４ａ、４ｂ、４ｃ、４ｄと、プラント機器４ａ、４ｂ、４ｃ、４ｄを制御及び計測するプラント情報処理装置３ａ、３ｂと、プラント情報処理装置３ａ、３ｂから収集したデータを基にプラント機器４ａ、４ｂ、４ｃ、４ｄを監視、制御する監視制御装置１と、プラント情報処理装置３ａ、３ｂにて処理されたデータ及び監視制御装置１からの制御命令を、プラント情報処理装置３ａ、３ｂに伝送するプラント制御ネットワーク２とから構成されている。
監視制御装置１は、計算機によって構成され、プラントの状態を機器のシンボルの組み合わせで表したグラフィック画面などの画面１ａを表示する。
【００１０】
図２は、この発明の実施の形態１による監視制御装置とプラント情報処理装置を示す構成図である。
図２において、１、１ａ、２、３ａ、３ｂ、４ａ〜４ｄは、図１におけるものと同一のものである。
監視制御装置１は、プラントの状態を表示する画面１ａと、画面１ａの表示を制御する表示制御部１ｂと、プラント機器４ａ、４ｂ、４ｃ、４ｄにおいて計測されたデータの処理や表示制御部１ｂからの指令を処理するデータ処理部１ｃと、プラント制御ネットワーク２とデータを送受信するデータ送受信部１ｄと、収集したデータを記憶する記憶部１ｅとから構成される。
【００１１】
プラント情報処理装置３ａは、プラント制御ネットワーク２とデータを送受信するデータ送受信部３ｃと、プラント機器４ａ、４ｂ、４ｃ、４ｄに関するデータを処理するデータ処理部３ｄと、プラント機器４ａ、４ｂ、４ｃ、４ｄを監視するプラント機器監視部３ｅと、プラント機器４ａ、４ｂ、４ｃ、４ｄの情報を記憶するデータ記憶部３ｆとから構成されている。
プラント情報処理装置３ｂは、プラント情報処理装置３ａと同じ構成である。
このプラント監視システムでは、プラント制御ネットワーク２を介して、監視制御装置１とプラント情報処理装置３が信号を送受信することにより、監視制御を実現している。
ここで、信号は大きく分けて４種類あり、プラント機器の状態を表すディジタル信号（オンオフ）、プラントの水位等を表すアナログ信号（数値）、プラント機器の制御を行うための制御信号（オンオフ）、プラント機器の設定値を出力するための設定値信号（数値）がある。
これらの信号には、タグ番号が割り当てられており、信号を伝送する際には、タグ番号とともに信号の情報をプラント制御ネットワーク２に流すことになる。
【００１２】
監視制御装置１における機能としては、サマリ表示、トレンド表示、帳票表示、制御出力、設定値出力、コメント保存、アラーム画面遷移機能等がある。
サマリ表示機能は、プラント制御ネットワーク２から受信したディジタル信号の情報をリストにして画面１ａ上のウィンドウに表示するものである。
トレンド表示機能は、プラント制御ネットワーク２から受信したディジタル信号とアナログ信号の情報をデータ記憶部１ｅに保存し、それを画面１ａのウィンドウにグラフ表示する機能である。
帳票機能は、収集したディジタル信号とアナログ信号を帳票用にデータ記憶部１ｅに保存し、それを日報、月報、年報として画面１ａのウィンドウに表示する機能である。
【００１３】
制御出力機能は、監視制御装置１において、プラント機器の運転や停止等を制御するための制御ウィンドウを表示し、オペレータの操作により制御信号をプラント制御ネットワーク２に出力する機能である。
設定値出力機能は、監視制御装置１において、プラント機器の設定値を変更するための設定値ウィンドウを表示し、オペレータの操作により設定値信号をプラント制御ネットワーク２に出力する機能である。
コメント保存機能は、制御ウィンドウ上に、コメントを記入するための欄を表示し、オペレータが記入したコメントを保存しておく機能である。コメントデータは制御信号のタグ番号とともに、データ記憶部１ｅに保存される。制御ウィンドウを開いた際には、タグ番号に対応するコメントデータを検索し、コメントを表示する。
【００１４】
図３は、この発明の実施の形態１による監視制御装置のグラフィック画面におけるマウスドラッグ操作によるシンボル矩形範囲選択を示す図である。
図３において、画面１ａで、シンボル選択５（シンボル選択モードを設定する手段）の選択により、シンボル選択モードになり、マウス１２のドラッグにより矩形範囲１１が選択されている。
なお、シンボル６ａ、６ｂ、７ａ、７ｂ、８ａ、８ｂが表示され、また、設定値９が表示されている。
【００１５】
図４は、この発明の実施の形態１による監視制御装置におけるグラフィック画面のシンボル選択後を示す図である。
図４において、１ａ、５、７ａ、７ｂ、８ａ、８ｂ、９、１２は図３におけるものと同一のものである。図４では、図３の矩形範囲１１内のシンボル６ａ、６ｂに対応するシンボル６ａ１、６ｂ１が強調表示されている。
【００１６】
図５は、この発明の実施の形態１による監視制御装置のドラッグ操作によるシンボルの矩形範囲選択処理を示すフローチャートである。
【００１７】
次に、動作について、図５のフローチャートに沿って説明する。
プラントの監視制御を行うオペレータが、監視制御装置１の画面１ａのメニューから、任意のグラフィック画面を選択する（ｓｔｅｐ１０）。選んだグラフィック画面において、オペレータが、図３のシンボル選択５をクリックする（ｓｔｅｐ１１、シンボル選択モードを設定する手段）。すると、監視制御装置１は、シンボル選択モードに切り替わり、シンボル選択以外の操作（メニュー選択や画面の遷移等）ができなくなる（ｓｔｅｐ１２）。
この時に、オペレータが、シンボル選択をもう一度クリックすると、シンボル選択モードは解除される（ｓｔｅｐ１３）。シンボル選択モードの状態で、オペレータが選択したいシンボルを含む形で、図３のようにマウス１２をドラッグし、矩形範囲１１による選択を行う（ｓｔｅｐ１４、複数シンボルをまとめて選択する手段）。この時、選択している矩形範囲１１は、点線によって表現され、ドラッグ中にはマウス１２の動きに合わせて、矩形範囲１１が変化する。
【００１８】
オペレータによるドラッグ操作が終了した後、表示制御部１ｂは、ドラッグの開始点と終了点を取得する（ｓｔｅｐ１５）。表示制御部１ｂは、グラフィック画面の情報から各シンボルが表示されている座標を取得し、矩形範囲１１内に存在するシンボルを特定する（ｓｔｅｐ１６）。表示制御部１ｂは、ｓｔｅｐ１６で特定された各シンボルの外枠を図４のシンボル６ａ１、６ａ２のように太線にして画面１ａに表示する。
【００１９】
実施の形態１によれば、オペレータによるマウスドラッグの矩形範囲選択操作で、複数のシンボルを簡単に選択することができ、複数のシンボルを対象とした操作（サマリ表示、トレンド表示等）を行うことができる。
これにより、従来では複数のシンボルを対象とした操作の場合において、各シンボルに対して同様の操作を繰り返す必要があったが、その時間を短縮することができる。
【００２０】
実施の形態２．
実施の形態１では、マウスドラッグ操作をすることで、矩形範囲１１により、複数のシンボルを選択する場合について述べたが、実施の形態２は、マウスのクリック操作を二回繰り返すことにより、矩形範囲を選択し、複数のシンボルを選択する。
図６は、この発明の実施の形態２による監視制御装置のグラフィック画面におけるシンボル選択方法の選択を示す図である。
図６において、１ａ、５、６ａ、６ｂ、７ａ、７ｂ、８ａ、８ｂ、９、１２は図３におけるものと同一のものである。図６では、画面１ａに、シンボルの選択方法を選択するための、ドロップダウンリスト１３（選択方法を選択する手段）を追加している。
【００２１】
図７は、この発明の実施の形態２による監視制御装置のグラフィック画面における２点クリック操作によるシンボル矩形範囲選択を示す図である。
図７において、１ａ、５、６ａ、６ｂ、７ａ、７ｂ、８ａ、８ｂ、９、１２、１３は図６におけるものと同一のものである。図７では、画面１ａに、２点クリック操作により、選択された矩形範囲１１ａが表示されている。
【００２２】
図８は、この発明の実施の形態２による監視制御装置の２点クリック操作によるシンボルの矩形範囲選択処理を示すフローチャートである。
図８において、ｓｔｅｐ２０、２２、２３、２４、２７、２８は、それぞれ図５におけるｓｔｅｐ１０、１１、１２、１３、１６、１７と同一の処理である。図８では、ｓｔｅｐ２０の次にｓｔｅｐ２１を実行し、ｓｔｅｐ２４でＮｏのときにｓｔｅｐ２５、ｓｔｅｐ２６を実行して、ｓｔｅｐ２７に移る。
【００２３】
次に、動作について図８のフローに沿って、実施の形態１との差分について説明する。
実施の形態２では、追加されたドロップダウンリスト１３において、図６のように「２点クリック」を選択する（ｓｔｅｐ２１）。シンボルの選択の際には、オペレータは、選択したいシンボルを含む形で、図７のように、マウス１２のクリック操作を二回繰り返し、矩形範囲の対角を指定することにより、矩形範囲１１ａによる選択を行う（ｓｔｅｐ２５）。このとき、選択している矩形範囲１１ａは、点線によって表示される。
表示制御部１ｂは、クリックした２点（矩形範囲の対角）の座標を得て、この矩形範囲に含まれるシンボルを特定する（ｓｔｅｐ２６）。
【００２４】
実施の形態２によれば、これにより、オペレータは、ドラッグ操作、クリック操作のどちらか慣れた手順を選んで、シンボルの矩形範囲の選択を行うことができる。
【００２５】
実施の形態３．
実施の形態１、２では、矩形範囲１１、１１ａにより、複数のシンボルを選択する場合について述べたが、実施の形態３では、マウス１２のドラッグ操作により、閉曲線を作成し、閉曲線の内側にある複数のシンボルを選択する。
図９は、この発明の実施の形態３による監視制御装置のグラフィック画面におけるシンボル選択方法の選択を示す図である。
図９において、１ａ、５、６ａ、６ｂ、７ａ、７ｂ、８ａ、８ｂ、９、１２、１３は図６におけるものと同一のものである。図９では、シンボルの選択方法を選択するためのドロップダウンリスト１３に、「閉曲線」による選択方法を追加している。
【００２６】
図１０は、この発明の実施の形態３による監視制御装置のグラフィック画面における閉曲線によるシンボル選択を示す画面である。
図１０において、１ａ、５、６ａ、６ｂ、７ａ、７ｂ、８ａ、８ｂ、９、１２、１３は図９におけるものと同一のものである。図１０では、ドラッグ操作の始点１１ｃと終点１１ｄにより描かれる閉曲線１１ｂにより選択された範囲を示している。
【００２７】
図１１は、この発明の実施の形態３による監視制御装置のドラッグ操作によるシンボルの閉曲線範囲選択処理を示すフローチャートである。
図１１において、ｓｔｅｐ３０、３２、３３、３４、３８は、それぞれ図８におけるｓｔｅｐ２０、２２、２３、２４、２８と同一の処理である。
図１１では、ｓｔｅｐ３０の次にｓｔｅｐ３１が実行され、ｓｔｅｐ３４でＮｏのときｓｔｅｐ３５〜３７を実行し、ｓｔｅｐ３８に移る。
【００２８】
次に、動作について、図１１のフローに沿って、実施の形態２との差分について説明する。
実施の形態３では、オペレータが、画面１ａのドロップダウンリスト１３において「閉曲線」を選択する（ｓｔｅｐ３１）。次いで、シンボルの選択の際には、オペレータは、マウス１２のドラッグ操作を行うことで、閉曲線１１ｂを作成する（ｓｔｅｐ３５）。
この時、ドラッグ操作の始点１１ｃと終点１１ｄの座標が等しくなく、閉曲線が完成できていない場合、始点１１ｃから終点１１ｄに線分を引く形で補完し、閉曲線を作成する。
表示制御部１ｂは、閉曲線１１ｂ上の点の座標を一定間隔毎に取得する（ｓｔｅｐ３６）。次いで、表示制御部１ｂは、画面１ａの情報から各シンボルが表示されている座標を取得し、閉曲線１１ｂの内側にあるシンボルを特定する（ｓｔｅｐ３７）。
【００２９】
実施の形態３によれば、これにより、オペレータは、矩形範囲と比べて、自由度の高い閉曲線を使った選択を行うことができる。
【００３０】
実施の形態４．
実施の形態１、２、３では、矩形範囲や閉曲線による、複数のシンボルを範囲選択する場合について述べたが、実施の形態４では、マウス１２で、複数のシンボルを１つずつ直接クリックすることにより、複数のシンボルを選択する。
図１２は、この発明の実施の形態４による監視制御装置のグラフィック画面におけるシンボル選択方法の選択を示す図である。
図１２において、１ａ、５、６ａ、６ｂ、７ａ、７ｂ、８ａ、８ｂ、９、１２、１３は図９におけるものと同一のものである。図１２では、シンボルの選択方法を選択するためのドロップダウンリスト１３に、シンボルクリックによる選択方法である「クリック選択」を追加している。
【００３１】
図１３は、この発明の実施の形態４による監視制御装置のグラフィック画面におけるシンボルクリック操作によるシンボル選択を示す図である。
図１３において、１ａ、５、６ｂ、７ａ、７ｂ、８ａ、８ｂ、９、１２、１３は図１２におけるものと同一のものである。図１３には、図１２のシンボル６ａが選択されて、シンボル６ａ１として強調表示されている。
【００３２】
図１４は、この発明の実施の形態４による監視制御装置のシンボルクリック操作によるシンボル選択処理を示すフローチャートである。
図１４において、ｓｔｅｐ４０、４２、４３、４４は、図１１におけるｓｔｅｐ３０、３２、３３、３４と同一の処理である。図１４では、ｓｔｅｐ４０の次にｓｔｅｐ４１を実行し、ｓｔｅｐ４４でＮｏのとき、ｓｔｅｐ４５、４６を実行し、次いで、ｓｔｅｐ４７で、Ｙｅｓのときシンボル選択処理を終了する。
【００３３】
次に、動作について、図１４のフローに沿って、実施の形態３との差分について説明する。
実施の形態４では、ドロップダウンリスト１３において「クリック選択」を選択する（ｓｔｅｐ４１）。シンボルの選択の際には、オペレータは、シンボルを直接クリックすることで、シンボルを選択する（ｓｔｅｐ４５）。この時、選択されたシンボルは、図１３のシンボル６ａ１のように、太線になって画面１ａに表示される（ｓｔｅｐ４６）。
オペレータは、この操作を繰り返し、シンボルの選択を終了するときは、もう一度シンボル選択ボタン５をクリックする（ｓｔｅｐ４７）。
【００３４】
実施の形態４によれば、これにより、シンボル選択方法の選択肢が増え、オペレータに合った選択方法を選ぶことができる。
【００３５】
実施の形態５．
実施の形態１、２、３、４では、複数シンボルの選択方法について述べたが、実施の形態５では、選択されたシンボルに割り付けられた信号の状態を一覧で表示するサマリ機能を追加する。
図１５は、この発明の実施の形態５による監視制御装置のグラフィック画面における選択した複数シンボルのサマリ表示方法を示す図である。
図１５において、１ａ、５、７ａ、７ｂ、８ａ、８ｂ、９、１２、１３は図１２におけるものと、６ａ１、６ｂ１は図４におけるものとそれぞれ同一のものである。図１５では、オペレータが画面１ａにおいて選択されているシンボルに、マウス１２を合わせて右クリックすると表示されるメニュー１４を、画面１ａに追加している。
【００３６】
図１６は、この発明の実施の形態５による監視制御装置のグラフィック画面における選択した複数シンボルのサマリ表示を示す図である。
図１６において、１ａ、５、９、１２、１３は図１５におけるものと同一のものである。図１６の画面には、図１５の画面のメニュー１４で「サマリ表示」が選択されたときに表示されるサマリウィンドウ１５を示している。
【００３７】
図１７は、この発明の実施の形態５による監視制御装置のサマリの表示処理を示すフローチャートである。
【００３８】
次に、動作について、図１７のフローチャートに沿って説明する。
実施の形態１、２、３、４によって、シンボルが選択された状態で、オペレータが画面１ａにおいて選択されているシンボルにマウス１２を合わせて右クリックする（ｓｔｅｐ１００）。表示制御部１ｂは、マウス１２の右下の位置に図１５のようなメニュー１４を画面１ａに展開する（ｓｔｅｐ１０１）。
オペレータが、メニュー１４における「サマリ表示」をクリックする（ｓｔｅｐ１０２）。表示制御部１ｂは、選択しているシンボルに割りついているディジタル信号のタグ番号を取得し、データ処理部１ｃに送信する（ｓｔｅｐ１０３）。データ処理部１ｃは、タグ番号とともに信号取得要求をデータ送受信部１ｄを通して、プラント制御ネットワーク２へ送信する（ｓｔｅｐ１０４）。
【００３９】
データ処理部３ｄは、データ送受信部３ｃを通して、プラント制御ネットワーク２から信号取得要求を受信する（ｓｔｅｐ１０５）。データ処理部３ｄは、データ記憶部３ｆからタグ番号に対応する信号データを取得する（ｓｔｅｐ１０６）。データ処理部３ｄは、取得した信号データを、データ送受信部３ｃを通して、プラント制御ネットワーク２に送信する（ｓｔｅｐ１０７）。
データ処理部１ｃは、データ送受信部１ｄを通して、プラント制御ネットワーク２から信号データを受信する（ｓｔｅｐ１０８）。データ処理部１ｃは、表示制御部１ｂに信号データを送信する（ｓｔｅｐ１０９）。
表示制御部１ｂは、受信した信号データを基に、図１６のようなサマリウィンドウ１５を画面１ａに表示する（ｓｔｅｐ１１０、サマリウィンドウを一覧表示する手段）。
【００４０】
実施の形態５によれば、これにより、従来であればシンボル毎に右クリックしてサマリウィンドウを表示するという動作を繰り返す必要があったものが、一括して表示できるようになり、複数シンボルのサマリ表示にかかる時間を削減することができる。
【００４１】
実施の形態６．
実施の形態５では、選択した複数シンボルのサマリ表示について述べたが、実施の形態６は、選択されたシンボルに割り付けられたディジタル信号、アナログ信号の情報をトレンドグラフで表示するトレンド表示機能を追加する。
図１８は、この発明の実施の形態６による監視制御装置のグラフィック画面における選択した複数シンボルのトレンド表示方法を示す図である。
図１８において、１ａ、５、６ａ１、６ｂ１、７ａ、７ｂ、８ａ、８ｂ、９、１２〜１４は図１５におけるものと同一のものである。図１８は、選択したシンボルにマウスを合わせて、右クリックした際のメニュー１４に「トレンド表示」を設けている。
【００４２】
図１９は、この発明の実施の形態６による監視制御装置のグラフィック画面における選択した複数シンボルのトレンド表示を示す図である。
図１９において、１ａ、５、９、１２、１３は図１８におけるものと同一のものである。図１９では、選択した複数シンボルに対して、トレンド表示を行っているトレンドウィンドウ１６が示されている。
【００４３】
図２０は、この発明の実施の形態６による監視制御装置のトレンドウィンドウの表示処理を示すフローチャートである。
【００４４】
次に、動作について、図２０のフローチャートに沿って説明する。
実施の形態１、２、３、４によって、シンボルが選択された状態で、オペレータが画面１ａにおいて選択されているシンボルにマウス１２を合わせて右クリックする（ｓｔｅｐ２００）。表示制御部１ｂは、マウス１２の右下の位置に、図１８のようなメニュー１４を画面１ａに展開する（ｓｔｅｐ２０１）。
オペレータが、メニュー１４における「トレンド表示」をクリックする（ｓｔｅｐ２０２）。表示制御部１ｂは、選択しているシンボルに割りつけられているディジタル信号とアナログ信号のタグ番号を取得し、データ処理部１ｃに送信する（ｓｔｅｐ２０３）。
【００４５】
データ処理部１ｃは、タグ番号に対応するトレンドデータをデータ記憶部１ｅから取得する（ｓｔｅｐ２０４）。データ処理部１ｄは、取得したトレンドデータを表示制御部１ｂへ送信する（ｓｔｅｐ２０５）。表示制御部１ｂは、受信したトレンドデータを基に、図１９のようなトレンドウィンドウを表示する（ｓｔｅｐ２０６、トレンドウィンドウに表示する手段）。このトレンドウィンドウ上においては、ディジタルデータのグラフを上に、アナログデータのグラフを下に表示する形となる。また、ウィンドウの一番下の欄に信号リストを表示する。
【００４６】
実施の形態６によれば、これにより、従来であればシンボル毎に右クリックしてトレンドウィンドウを表示するという動作を繰り返す必要があったものが、一括して表示できるようになり、複数シンボルのトレンドウィンドウ表示にかかる時間を削減することができる。
【００４７】
実施の形態７．
実施の形態６では、選択した複数シンボルのトレンド表示について述べたが、実施の形態７では、選択されたシンボルに割り付けられたディジタル信号、アナログ信号に関連する帳票を表示する、複数シンボルの帳票表示機能を追加する。
図２１は、この発明の実施の形態７による監視制御装置のグラフィック画面における選択した複数シンボルの帳票表示方法を示す図である。
図２１において、１ａ、５、６ａ１、６ｂ１、７ａ、７ｂ、８ａ、８ｂ、９、１２〜１４は図１８におけるものと同一のものである。図２１では、選択したシンボルにマウスを合わせて、右クリックした際のメニュー１４に「帳票表示」を設けている。
【００４８】
図２２は、この発明の実施の形態７による監視制御装置のグラフィック画面における表示する帳票の選択ウィンドウを示す図である。
図２２において、１ａ、５、８ａ、８ｂ、９は図２１におけるものと同一のものである。図２２では、画面１ａに、選択した複数シンボルに割り付けられたディジタル信号とアナログ信号に関連する帳票をウィンドウ上にリスト表示した帳票選択ウィンドウ１７が表示されている。
【００４９】
図２３は、この発明の実施の形態７による監視制御装置のグラフィック画面における帳票表示ウィンドウを示す図である。
図２３において、５、８ａ、８ｂ、９、１２、１３は図２１におけるものと同一のものである。図２３には、画面１ａに帳票表示ウィンドウ１８が表示されている。
【００５０】
図２４は、この発明の実施の形態７による監視制御装置の帳票表示ウィンドウの表示処理を示すフローチャートである。
【００５１】
次に、動作について、図２４のフローチャートに沿って説明する。
実施の形態１、２、３、４によって、シンボルが選択された状態で、オペレータが画面１ａにおいて選択されているシンボルにマウス１２を合わせて右クリックする（ｓｔｅｐ３００）。表示制御部１ｂは、マウス１２の右下の位置に図２１のようなメニュー１４を画面１ａに展開する（ｓｔｅｐ３０１）。
オペレータが、メニュー１４の「帳票表示」をクリックする（ｓｔｅｐ３０２）。表示制御部１ｂは、選択しているシンボルに割りつけられているディジタル信号とアナログ信号のタグ番号を取得し、データ処理部１ｃに送信する（ｓｔｅｐ３０３）。
データ処理部１ｃは、タグ番号に関連する帳票番号をデータ記憶部１ｅから取得する（ｓｔｅｐ３０４）。データ処理部１ｃは、取得した帳票番号を表示制御部１ｂへ送信する（ｓｔｅｐ３０５）。
【００５２】
表示制御部１ｂは、受信した帳票番号を基に、図２２のような帳票選択ウィンドウ１７を表示する（ｓｔｅｐ３０６）。オペレータが帳票選択ウィンドウ１７から帳票を一つ選択し、帳票表示ボタンをクリックする（ｓｔｅｐ３０７）と、表示制御部１ｂは、選択された帳票番号をデータ処理部１ｃに送信する（ｓｔｅｐ３０８）。
データ処理部１ｃは、帳票番号に対応する帳票データをデータ記憶部１ｅから取得する（ｓｔｅｐ３０９）。データ処理部１ｃは、帳票データを表示制御部１ｂに送信する（ｓｔｅｐ３１０）。表示制御部１ｂは、受信した帳票データを基に、図２３のような帳票表示ウィンドウ１８を表示する（ｓｔｅｐ３１１、帳票表示ウィンドウに表示する手段）。
【００５３】
実施の形態７によれば、これにより、従来であれば、帳票のグループから対象の帳票を選んで帳票ウィンドウを表示するという動作を行う必要があったものが、一括して表示できるようになり、複数シンボルの帳票ウィンドウ表示にかかる時間を削減することができる。
【００５４】
実施の形態８．
実施の形態７では、選択した複数シンボルの帳票表示について述べたが、実施の形態８では、選択されたシンボルに割り付けられた制御信号を一括で出力する機能を追加する。
図２５は、この発明の実施の形態８による監視制御装置のグラフィック画面における選択した複数機器の制御方法を示す図である。
図２５において、１ａ、５、６ａ１、６ｂ１、７ａ、７ｂ、８ａ、８ｂ、９、１２〜１４は図２１におけるものと同一のものである。図２５では、選択したシンボルにマウスを合わせて、右クリックした際のメニュー１４に「一括制御」を設けている。
【００５５】
図２６は、この発明の実施の形態８による監視制御装置のグラフィック画面における一括操作ウィンドウを示す図である。
図２６において、１ａ、５、８ａ、８ｂ、９は図２５におけるものと同一のものである。図２６では、画面１ａに、選択した複数シンボルに割り付けられた制御信号を一括で制御するためのウィンドウである一括制御ウィンドウ１９を表示している。
【００５６】
図２７は、この発明の実施の形態８による監視制御装置の一括操作処理を示すフローチャートである。
【００５７】
次に、動作について、図２７のフローチャートに沿って説明する。
実施の形態１、２、３、４によって、シンボルが選択された状態で、オペレータが画面１ａにおいて選択されているシンボルにマウス１２を合わせて右クリックする（ｓｔｅｐ４００）。表示制御部１ｂは、マウス１２の右下の位置に、図２５のようなメニュー１４を画面１ａに展開する（ｓｔｅｐ４０１）。オペレータが、メニュー１４における「一括制御」をクリックする（ｓｔｅｐ４０２）。表示制御部１ｂは、選択されているシンボルに割り付けられた制御信号のタグ番号を取得する（ｓｔｅｐ４０３）。表示制御部１ｂは、取得したタグ番号を基に、図２６のような一括制御ウィンドウ１９を画面１ａに表示する（ｓｔｅｐ４０４、一括制御ウィンドウを表示する手段）。この一括制御ウィンドウ１９では、機器の種別ごとに一括命令ボタンを作っている（機器の種別ごとによって命令が異なるため）。
【００５８】
オペレータが一括指令のボタンをクリックした後に、送信ボタンをクリックする（ｓｔｅｐ４０５）と、表示制御部１ｂは、一括指令を出された種類の機器のタグ番号と指令内容をデータ処理部１ｄに送信する（ｓｔｅｐ４０６）。データ処理部１ｃは、タグ番号と指令内容を、データ送受信部１ｄを通して、プラント制御ネットワーク２へ送信する（ｓｔｅｐ４０７）。
データ処理部３ｄは、データ送受信部３ｃを通して、プラント制御ネットワーク２からタグ番号と指令内容を受信する（ｓｔｅｐ４０８）。データ処理部３ｄは、プラント機器監視部３ｅを通して、タグ番号に対応するプラント機器へ指令を送信する。
【００５９】
実施の形態８によれば、これにより、従来であればシンボル毎に制御を行う必要があったものを、一括で制御可能にすることで、複数の機器の制御にかかる時間を削減することができる。
【００６０】
実施の形態９．
実施の形態８では、選択されたシンボルに割り付けられた制御信号を一括で出力する機能について述べたが、実施の形態９は、実施の形態８に加えて、一括制御ウィンドウにおいて、どの機器を一括制御するかを選択する機能を追加する。
図２８は、この発明の実施の形態９による監視制御装置のグラフィック画面における機器選択付き一括制御ウィンドウを示す図である。
図２８において、１ａ、５、８ａ、８ｂ、９は図２６におけるものと同一のものである。図２８では、画面１ａに、選択した複数シンボルに割り付けられた制御信号を一括で制御するためのウィンドウであり、かつどの機器を制御するか選択するためのチェックボックスを追加した機器選択付き一括制御ウィンドウ２０を表示している。
【００６１】
図２９は、この発明の実施の形態９による監視制御装置の一括操作処理を示すフローチャートである。
図２９において、ｓｔｅｐ５００、５０１、５０２、５０３、５０８、５０９、５１０は、それぞれ図２７におけるｓｔｅｐ４００、４０１、４０２、４０３、４０７、４０８、４０９と同一の処理である。ｓｔｅｐ５０３に次いで、ｓｔｅｐ５０４〜５０７が実行されたのち、ｓｔｅｐ５０８に移る。
【００６２】
次に、動作について、図２９のフローチャートに沿って説明する。ここでは実施の形態８との差分について説明する。
実施の形態９では、実施の形態８の一括制御ウィンドウに機器を選択するためのチェックボックスを配置し、図２８のような機器選択付き一括制御ウィンドウ２０を表示する（ｓｔｅｐ５０４、一括制御ウィンドウを表示するとともにチェックボックスによりどの機器を制御対象にするかの選択を行う手段）。この、機器選択付き一括制御ウィンドウ２０上では、機器の種別ごとに一括命令ボタンが作成されている。
オペレータが、機器選択付き一括制御ウィンドウ２０上で機器名称の左にあるチェックボックスにチェックを入れて（ｓｔｅｐ５０５、一括制御ウィンドウを表示するとともにチェックボックスによりどの機器を制御対象にするかの選択を行う手段）、一括指令用のボタンをクリックして送信ボタンをクリックする（ｓｔｅｐ５０６）と、表示制御部１ｂは、一括指令を出された種類の機器、かつ、チェックボックスにチェックが入っている機器のタグ番号と指令内容をデータ処理部１ｄに送信する（ｓｔｅｐ５０７）。
【００６３】
実施の形態９によれば、これにより、矩形範囲の選択などで不必要なシンボルまで選択してしまった場合に、実施の形態８では、再び選択し直す必要があるが、実施の形態９では不必要な機器のチェックボックスのチェックを外すことで、一括制御する機器から外すことができる。つまり、再び選択し直さずに済み、利便性の向上が図れる。
【００６４】
実施の形態１０．
実施の形態８、９では、選択した複数シンボルに割り付けられた制御信号を一括で出力する機能について述べたが、実施の形態１０では、選択されたシンボルに割り付けられた設定値信号を一括で出力する機能を追加する。
図３０は、この発明の実施の形態１０による監視制御装置のグラフィック画面における設定値出力一括設定を示す図である。
図３０において、１ａ、５、６ａ１、６ｂ１、７ａ、７ｂ、８ａ、８ｂ、９、１２〜１４は図２５におけるものと同一のものである。図３０では、選択したシンボルにマウスを合わせて、右クリックした際のメニュー１４に「設定値一括出力」が設けられている。
【００６５】
図３１は、この発明の実施の形態１０による監視制御装置のグラフィック画面における設定値一括操作ウィンドウを示す図である。
図３１において、１ａ、５、８ａ、８ｂ、９は図３０におけるものと同一のものである。図３１では、画面１ａに、選択した複数シンボルに割り付けられた設定値信号を一括で出力するためのウィンドウである設定値一括操作ウィンドウ２１が表示されている。
【００６６】
図３２は、この発明の実施の形態１０による監視制御装置の一括設定操作処理を示すフローチャートである。
【００６７】
次に、動作について、図３２のフローチャートに沿って説明する。
実施の形態１、２、３、４によって、シンボルが選択された状態で、オペレータが画面１ａにおいて選択されているシンボルにマウス１２を合わせて右クリックする（ｓｔｅｐ６００）。表示制御部１ｂは、マウス１２の右下の位置に図３０のようなメニュー１４を画面１ａに展開する（ｓｔｅｐ６０１）。
オペレータが、メニュー１４における「設定値一括出力」をクリックする（ｓｔｅｐ６０２）。表示制御部１ｂは、選択しているシンボルに割り付けられている設定値信号のタグ番号を取得する（ｓｔｅｐ６０３）。表示制御部１ｂは、取得したタグ番号を基に、図３１のような設定値一括操作ウィンドウ２１を画面１ａに表示する（ｓｔｅｐ６０４）。この設定値一括操作ウィンドウ２１では、設定値信号ごとに入力用のフィールドを配置する。
【００６８】
オペレータが設定値を入力し（ｓｔｅｐ６０５、設定値信号を一括出力する手段）、一括設定指令ボタンをクリックする（ｓｔｅｐ６０６、設定値信号を一括出力する手段）と、表示制御部１ｂは、一括指令を出された機器のタグ番号と設定値をデータ処理部１ｃに送信する（ｓｔｅｐ６０７）。
データ処理部１ｃは、タグ番号と設定値を、データ送受信部１ｄを通して、プラント制御ネットワーク２へ送信する（ｓｔｅｐ６０８）。データ処理部３ｄは、データ送受信部３ｃを通して、プラント制御ネットワーク２からタグ番号と設定値を受信する（ｓｔｅｐ６０９）。データ処理部３ｄは、設定値を基に、タグ番号に対応するプラント機器の制御を行う（ｓｔｅｐ６１０）。
【００６９】
実施の形態１０によれば、これにより、従来であれば設定値信号ごとに設定を行う必要があったものが、一括で設定可能になり、複数設定値信号に対する設定にかかる時間を削減することができる。
【００７０】
実施の形態１１．
実施の形態８では、選択した複数シンボルに割り付けられた制御信号を一括で出力する機能について述べたが、実施の形態１１では、一括制御ウィンドウ上で、複数の機器にコメントを一括で設定する機能を追加する。
図３３は、この発明の実施の形態１１による監視制御装置のグラフィック画面におけるコメント欄付き一括制御ウィンドウを示す図である。
図３３において、１ａ、５、８ａ、８ｂ、９は図３１におけるものと同一のものである。図３３では、画面１ａに、コメントを入力するためのコメント欄を配置したコメント欄付き一括制御ウィンドウ１９ａを表示している。
【００７１】
図３４は、この発明の実施の形態１１による監視制御装置の一括コメント入力処理を示すフローチャートである。
【００７２】
次に、動作について、図３４のフローチャートに沿って説明する。
実施の形態１、２、３、４によって、シンボルが選択された状態で、オペレータが画面１ａにおいて選択されているシンボルにマウス１２を合わせて右クリックする（ｓｔｅｐ７００）。表示制御部１ｂは、マウス１２の右下の位置に図３０のようなメニュー１４を画面１ａに展開する（ｓｔｅｐ７０１）。
オペレータが、メニュー１４における「一括制御」をクリックする（ｓｔｅｐ７０２）。表示制御部１ｂは、選択しているシンボルに割り付けられている制御信号のタグ番号を取得する（ｓｔｅｐ７０３）。表示制御部１ｂは、取得したタグ番号を基に、図３３のようなコメント欄付き一括制御ウィンドウ１９ａを画面１ａに表示する（ｓｔｅｐ７０４）。
オペレータが、コメント欄にコメントを入力し、送信ボタンをクリックする（ｓｔｅｐ７０５、コメントを一括設定する手段）と、表示制御部１ｂは、タグ番号とコメントをデータ処理部１ｃに送信する（ｓｔｅｐ７０６）。データ処理部１ｃは、データ記憶部１ｅにおいて、すべてのタグ番号に対応するファイルに、同一コメントデータを上書き保存する（ｓｔｅｐ７０７）。これにより、選択された複数のシンボルに対応する複数のプラント機器へのコメントを一括設定することができる。
【００７３】
実施の形態１１によれば、これにより、従来であればプラント機器ごとにコメント入力を行う必要があったものが、一括でコメントできるようになり、時間を削減することができる。
【００７４】
実施の形態１２．
実施の形態１２では、アラームが発生した際に、グラフィック画面から、予め設定した画面に遷移できるようにするために、選択したシンボルからリンク先の画面を設定する機能を追加する。
図３５は、この発明の実施の形態１２による監視制御装置のグラフィック画面におけるリンク画面割付操作を示す図である。
図３５において、１ａ、５、６ａ１、６ｂ１、７ａ、７ｂ、８ａ、８ｂ、９、１２〜１４は図３０におけるものと同一のものである。図３５では、選択したシンボルにマウスを合わせて、右クリックした際のメニュー１４に「リンク画面割付」が設けられている。
【００７５】
図３６は、この発明の実施の形態１２による監視制御装置のグラフィック画面におけるリンク画面設定ウィンドウを示す図である。
図３６において、１ａ、５、８ａ、８ｂ、９は図３５におけるものと同一のものである。図３６では、画面１ａに、選択した複数シンボルに割り付けられたアラーム信号をリスト表示した、リンク画面設定ウィンドウ２２を表示している。
【００７６】
図３７は、この発明の実施の形態１２による監視制御装置の一括リンク画面設定処理を示すフローチャートである。
【００７７】
次に、動作について、図３７のフローチャートに沿って説明する。
実施の形態１、２、３、４によって、シンボルが選択された状態で、オペレータが画面１ａにおいて選択されているシンボルにマウス１２を合わせて右クリックする（ｓｔｅｐ８００）。表示制御部１ｂは、マウス１２の右下の位置に図３５のようなメニュー１４を画面１ａに展開する（ｓｔｅｐ８０１）。
オペレータが、メニュー１４の「リンク画面割付」をクリックする（ｓｔｅｐ８０２）。表示制御部１ｂは、選択しているシンボルに割り付けられているアラーム信号のタグ番号を取得する（ｓｔｅｐ８０３）。表示制御部１ｂは、取得したタグ番号を基に、図３６のようなリンク画面設定ウィンドウ２２を画面１ａに表示する（ｓｔｅｐ８０４）。
オペレータが、リンク先の画面を入力し、送信する（ｓｔｅｐ８０５、リンク先の画面を設定する手段）と、表示制御部１ｂは、タグ番号と設定した画面番号を、データ処理部１ｃに送信する（ｓｔｅｐ８０６）。
データ処理部１ｃは、データ記憶部１ｅにおける画面リンクデータに、タグ番号と画面番号をセットにして保存する。
【００７８】
実施の形態１２によれば、これにより、グラフィック画面上のシンボルからリンク画面を設定できるようになり、利便性が向上する。
【符号の説明】
【００７９】
１  監視制御装置
１ａ  画面
１ｂ  表示制御部
１ｃ  データ処理部
１ｄ  データ送受信部
１ｅ  データ記憶部
２  プラント制御ネットワーク
３ａ、３ｂ  プラント情報処理装置
３ｃ  データ送受信部
３ｄ  データ処理部
３ｅ  プラント機器監視部
３ｆ  データ記憶部
４ａ、４ｂ、４ｃ、４ｄ  プラント機器
５  シンボル選択
６ａ、６ｂ、７ａ、７ｂ、８ａ、８ｂ  シンボル
６ａ１、６ｂ１  選択されたシンボル
９  設定値
１１、１１ａ  矩形範囲
１１ｂ  閉曲線
１１ｃ  始点
１１ｄ  終点
１２  マウス
１３  ドロップダウンリスト
１４  メニュー
１５  サマリウィンドウ
１６  トレンドウィンドウ
１７  帳票選択ウィンドウ
１８  帳票表示ウィンドウ
１９  一括制御ウィンドウ
１９ａ  コメント欄付き一括制御ウィンドウ
２０  機器選択付き一括制御ウィンドウ
２１  設定値一括操作ウィンドウ
２２  リンク画面設定ウィンドウ
【図１】
2012099063.tif 000003
【図２】
2012099063.tif 000004
【図３】
2012099063.tif 000005
【図４】
2012099063.tif 000006
【図５】
2012099063.tif 000007
【図６】
2012099063.tif 000008
【図７】
2012099063.tif 000009
【図８】
2012099063.tif 000010
【図９】
2012099063.tif 000011
【図１０】
2012099063.tif 000012
【図１１】
2012099063.tif 000013
【図１２】
2012099063.tif 000014
【図１３】
2012099063.tif 000015
【図１４】
2012099063.tif 000016
【図１５】
2012099063.tif 000017
【図１６】
2012099063.tif 000018
【図１７】
2012099063.tif 000019
【図１８】
2012099063.tif 000020
【図１９】
2012099063.tif 000021
【図２０】
2012099063.tif 000022
【図２１】
2012099063.tif 000023
【図２２】
2012099063.tif 000024
【図２３】
2012099063.tif 000025
【図２４】
2012099063.tif 000026
【図２５】
2012099063.tif 000027
【図２６】
2012099063.tif 000028
【図２７】
2012099063.tif 000029
【図２８】
2012099063.tif 000030
【図２９】
2012099063.tif 000031
【図３０】
2012099063.tif 000032
【図３１】
2012099063.tif 000033
【図３２】
2012099063.tif 000034
【図３３】
2012099063.tif 000035
【図３４】
2012099063.tif 000036
【図３５】
2012099063.tif 000037
【図３６】
2012099063.tif 000038
【図３７】
2012099063.tif 000039